(57)【特許請求の範囲】
【請求項１】
メイン駆動部；
前記メイン駆動部の駆動力により回転できるメインシャフト；
前記メインシャフトの前端部に備えられ、髀臼カップが移植された髀臼部分に沿ってティルティング可能であり、前記メインシャフトにより回転しながら前記髀臼部分を切削するカッター部；及び
前記メインシャフトに対して相対的に前後方向に連続的に移動しながら前記カッター部のティルティング角度を無段に調節する無段調節部
を含み、
前記無段調節部は、
前記メインシャフトの外周面で前後方向に前記メインシャフトに相対的に移動できるスライダー、
前端部に前記スライダーの後端部が抜けないように連結され、前記メインシャフトに相対的に移動できる把持部固定クランプ、及び
前記スライダーの移動力を伝達することで前記カッター部をティルティングさせる動力伝達部材
を含む、
人工股関節用髀臼カップ脱去装置。
【請求項２】
前記無段調節部は、
前記メインシャフトと前記スライダーが前記把持部固定クランプに相対的に円滑に回転できるようにする軸受部をさらに含む、
請求項１に記載の人工股関節用髀臼カップ脱去装置。
【請求項３】
前記把持部固定クランプの後端部には後方カバーが位置して前記把持部固定クランプが後方に押し出されないように支持し、前記後方カバーは、前記メインシャフトに固定される、請求項１又は２に記載の人工股関節用髀臼カップ脱去装置。
【請求項４】
前記動力伝達部材は、
前記メインシャフトに相対的に摺動可能に前記メインシャフトを囲む動力伝達部材本体部と、一端が前記動力伝達部材本体部に相対的に回動可能に連結され、他端が前記カッター部に回動可能に連結されて前記カッター部をティルティングさせる動力伝達アーム
を備える、請求項１〜３のいずれか１項に記載の人工股関節用髀臼カップ脱去装置。
【請求項５】
前記動力伝達部材は、
前記動力伝達部材本体部を前記メインシャフトに弾性的に支持する弾性支持部をさらに含む、
請求項４に記載の人工股関節用髀臼カップ脱去装置。
【請求項６】
前記弾性支持部は、
前記メインシャフトにその長手方向に形成される中空部；
前記メインシャフトの側面に貫通されるように形成され、前記中空部と連通される案内溝；
前記中空部に挿入される弾性体；及び
前記動力伝達部材本体部と前記弾性体を前記案内溝を通して連結させる連結部材
を含む、
請求項５に記載の人工股関節用髀臼カップ脱去装置。
【請求項７】
前記中空部の一端は、閉められた状態で置かれ、前記弾性体の一端は、前記中空部の一端に支持され、前記弾性体の他端は、前記連結部材に支持される、請求項６に記載の人工股関節用髀臼カップ脱去装置。
【請求項８】
前記カッター部は、カッターと、それをティルティングさせるカッターティルティング部を含み、
前記カッターティルティング部は、
前記メインシャフトの前端部に連結され、前記メインシャフトの軸方向に直交する方向にヒンジ孔を有する第１ティルティング部材；
前記ヒンジ孔に回転可能に挿入され、前記動力伝達アームの他端が回動可能に連結される第２ティルティング部材；及び
一端が前記第２ティルティング部材に連結され、他端が前記カッターに連結されて前記メインシャフトが回転しながら前記カッターがティルティングされる間に前記髀臼部分に対応する切削軌跡を形成させる連結ブラケット
を含む、
請求項４〜７のいずれか１項に記載の人工股関節用髀臼カップ脱去装置。
【請求項９】
前記軸受部は、
前記把持部固定クランプの前方部で、前記把持部固定クランプと前記スライダーとの間に配置される第１軸受と、前記把持部固定クランプと前記メインシャフトとの間に配置される第２軸受を含み、
前記把持部固定クランプの後方部で、前記把持部固定クランプと前記メインシャフトとの間に配置される第３軸受を含み、
前記把持部固定クランプと前記メインシャフトとの間に配置されるスラスト軸受を含む、
請求項２に記載の人工股関節用髀臼カップ脱去装置。
【発明の詳細な説明】
【技術分野】
【０００１】
本発明は、人工股関節用髀臼カップ脱去装置に関する。
【背景技術】
【０００２】
一般に、人工股関節は、股関節機能に障害が生じた場合にそれを代替できる代替物であり、股関節があった位置に移植されて正常な活動を維持させることができる。
【０００３】
このような人工股関節は、骨盤の髀臼部位に挿入され、軸受の役割を果たすライナーを備えた半球形状の髀臼カップ（ａｃｅｔａｂｕｌａｒ  ｃｕｐ）と、大腿骨に嵌められるステム（ｓｔｅｍ）と、そして大腿骨頭を代替するためにステムの末端に備えられ、前記髀臼カップに挿入される半球形状のヘッド（ｆｅｍｏｒａｌ  ｈｅａｄ）とに区分される。
【０００４】
従って、関節炎や異形成症、外傷または感染後遺症により正常な機能を果たすことができず、股関節に痛みを現す患者は、痛みが現れる股関節を前記の人工股関節に代替することで、関節の運動機能を回復し、痛みをなくすことができる。
【０００５】
一方、このような人工股関節は、長期間使用することで摩耗が発生するようになる。特に、ヘッドと摩擦される髀臼カップは、持続的な関節使用によって、摩耗の発生率が高く、摩耗が持続される場合、厳しくは髀臼カップが挿入された骨盤の髀臼周辺に骨溶解が発生するようになる。従って、既存に挿入された髀臼カップを骨盤の髀臼から脱去するための技術が持続的に開発されている。
【０００６】
これと関連して、本出願人は、大韓民国公開特許公報第１０−２０１７−００１５０９５号に開示された人工股関節用髀臼カップ脱去装置を開発したことがある。図８乃至図１０に前記髀臼カップ脱去装置が示されており、これらの図は、前記大韓民国公開特許公報の図２、図３、図４にそれぞれ対応する。便宜上、図面符号は、修正することなくそのまま表示された。
【０００７】
このような既存の髀臼カップ脱去装置は、動力の伝達を受けて回転するボディ部と、髀臼カップの内周面に密着し、ボディ部と共に回転して髀臼カップが取り付けられた髀臼部分を切削するカッティング部とを含む。特に、カッティング部は、ボディ部と共に回転しながら髀臼カップが取り付けられた髀臼部分を切削する回動カッターと、回動カッターが髀臼カップの形態に沿って髀臼部分が切削されるように回動カッターの回転角度を調節する角度調節部とを含む。ここで、角度調節部は、ハウジング部の内側に前方または後方側に回転可能に配置される調整レバーと、調整レバーの回転によって前方側に３段階で移動しながら回動カッターを予め設定された角度で順次に回転させ、３段階移動が全て終了すると元の位置に戻る調整部とを含む。
【０００８】
しかし、このような従来の人工股関節用髀臼カップ脱去装置は、回動カッターが３段階で角度調節される限界を有しており、それぞれの段階別に時間差が発生し、切削された髀臼の面が一様ではない。また、さらに多くの切削が必要な髀臼の部分が段階が変わる区間にある場合、回動カッターをその部分に位置させることができない問題がある。
【０００９】
また、このような従来の人工股関節用髀臼カップ脱去装置は、回動カッターが３段階の角度調節を全て終了してはじめて元の位置に戻る構成を有している。従って、回動カッターの角度を以前の角度にするためには、３段階の角度調節を全て終了した後、元の位置に戻った状態で再び調節しなければならないので、使用が不便で施術時間が多く必要となる問題がある。
【発明の概要】
【発明が解決しようとする課題】
【００１０】
本発明の技術的課題は、切削された髀臼部分の面を一様にすることができ、カッターのティルティング角度を以前の角度に直ちに調節でき、髀臼部分のうちさらに多くの切削を要する所にカッターを直ちに位置させることのできる人工股関節用髀臼カップ脱去装置を提供することである。
【課題を解決するための手段】
【００１１】
前記目的を達成するために、本発明の実施例に係る人工股関節用髀臼カップ脱去装置は、メイン駆動部；前記メイン駆動部の駆動力により回転できるメインシャフト；前記メインシャフトの前端部に備えられ、髀臼カップが移植された髀臼部分に沿ってティルティング可能であり、前記メインシャフトにより回転しながら前記髀臼部分を切削するカッター部；及び、前記メインシャフトに対して相対的に前後方向に連続的に移動しながら前記カッター部のティルティング角度を無段に調節する無段調節部を含む。
【００１２】
また、前記無段調節部は、前記メインシャフトの外周面で前後方向に前記メインシャフトに相対的に移動できるスライダー、前端部に前記スライダーの後端部が抜けないように連結され、前記メインシャフトに相対的に移動できる把持部固定クランプ、及び前記スライダーの移動力を伝達することで前記カッター部をティルティングさせる動力伝達部材を含む。
【００１３】
また、前記無段調節部は、前記メインシャフトと前記スライダーが前記把持部固定クランプに相対的に円滑に回転できるようにする軸受部をさらに含む。
【００１４】
また、前記把持部固定クランプの後端部には後方カバーが位置して前記把持部固定クランプが後方に押し出されないように支持し、前記後方カバーは、前記メインシャフトに固定される。
【００１５】
また、前記動力伝達部材は、前記メインシャフトに相対的に摺動可能に前記メインシャフトを囲む動力伝達部材本体部と、一端が前記動力伝達部材本体部に相対的に回動可能に連結され、他端が前記カッター部に回動可能に連結されて前記カッター部をティルティングさせる動力伝達アームを備える。
【００１６】
また、前記動力伝達部材は、前記動力伝達部材本体部を前記メインシャフトに弾性的に支持する弾性支持部をさらに含む。
【００１７】
また、前記弾性支持部は、前記メインシャフトにその長手方向に形成される中空部；前記メインシャフトの側面に貫通されるように形成され、前記中空部と連通される案内溝；前記中空部に挿入される弾性体；及び、前記動力伝達部材本体部と前記弾性体を前記案内溝を通して連結させる連結部材を含む。
【００１８】
また、前記中空部の一端は、閉められた状態で置かれ、前記弾性体の一端は、前記中空部の一端に支持され、前記弾性体の他端は、前記連結部材に支持される。
【００１９】
また、前記カッター部は、カッターと、それをティルティングさせるカッターティルティング部を含み、前記カッターティルティング部は、前記メインシャフトの前端部に連結され、前記メインシャフトの軸方向に直交する方向にヒンジ孔を有する第１ティルティング部材；前記ヒンジ孔に回転可能に挿入され、前記動力伝達アームの他端が回動可能に連結される第２ティルティング部材；及び、一端が前記第２ティルティング部材に連結され、他端が前記カッターに連結されて前記メインシャフトが回転しながら前記カッターがティルティングされる間に前記髀臼部分に対応する切削軌跡を形成させる連結ブラケットを含む。
【００２０】
また、前記軸受部は、前記把持部固定クランプの前方部で、前記把持部固定クランプと前記スライダーとの間に配置される第１軸受と、前記把持部固定クランプと前記メインシャフトとの間に配置される第２軸受を含み、前記把持部固定クランプの後方部で、前記把持部固定クランプと前記メインシャフトとの間に配置される第３軸受を含み、前記把持部固定クランプと前記メインシャフトとの間に配置されるスラスト軸受を含む。
【００２１】
また、前記スライダーと前記動力伝達部材は、一体に形成され得る。
【発明の効果】
【００２２】
以上のように、本発明の実施例に係る人工股関節用髀臼カップ脱去装置は、下記のような効果を有することができる。
【００２３】
本発明の実施例によれば、無段調節部がメインシャフトに沿って連続的に前後方向に移動しながらカッターのティルティング角度を無段に調節できるので、既存とは異なり段階区分がなく、髀臼部分の面を一様に切削できる。
【００２４】
また、無段調節部を前後方向に移動させて髀臼部分のうちさらに多くの切削を要する所にカッターを直ちに位置させることができ、カッターのティルティング角度を直前の角度に調節でき、使用が便利で施術時間が減り得る。
【図面の簡単な説明】
【００２５】
【図１】本発明の一実施例に係る人工股関節用髀臼カップ脱去装置を概略的に示した正面図である。
【図２】図１の人工股関節用髀臼カップ脱去装置を概略的に示した要部断面図である。
【図３】図１の人工股関節用髀臼カップ脱去装置のカッティング部を概略的に示した分解斜視図である。
【図４】図１の人工股関節用髀臼カップ脱去装置のカッティング部を概略的に示したものであり、髀臼カップをさらに付加して髀臼カップの外周面に沿って回転カッターの角度が調節されている状態を概略的に示した組立斜視図である。
【図５】図１の人工股関節用髀臼カップ脱去装置をＶ−Ｖ線に切断してみた断面図である。
【図６】図２の人工股関節用髀臼カップ脱去装置の回転カッターの角度が調節された状態を概略的に示した断面図である。
【図７】図１の人工股関節用髀臼カップ脱去装置の作用状態を示す例示図であって、無段調節部１４０を前方に移動させてカッターをティルティングさせる状態を順次に示す。
【図８】従来の人工股関節用髀臼カップ脱去装置を示す。
【図９】図８の人工股関節用髀臼カップ脱去装置の断面を概略的に示す。
【図１０】図８の人工股関節用髀臼カップ脱去装置の回動カッターが分解された状態を概略的に示す。
【発明を実施するための形態】
【００２６】
以下、添付の図面を参考にして、本発明の実施例について本発明の属する技術の分野における通常の知識を有する者が容易に実施できるように詳細に説明する。しかし、本発明は、様々な異なる形態で具現され得、ここで説明する実施例に限定されない。参考までに、本発明は、本出願人が発明した既存の人工股関節用髀臼カップ脱去装置から、上述した課題を解決するために無段調節部の構成を新たに導出したものである。従って、以下においては、それと関連した構成について詳細に説明し、残りの構成は、本発明の要旨とは関係がないので、その説明を省略または簡略にする。
【００２７】
図１乃至図６に示されたように、本発明の一実施例に係る人工股関節用髀臼カップ脱去装置１００は、メイン駆動部１１０と、メインシャフト１２０と、カッター部１５０と、無段調節部１４０とを含む。
【００２８】
メイン駆動部１１０は、図１に示されたように、メインシャフト１２０を回転させる構成要素である。例えば、メイン駆動部１１０は、回転モータ１１１と、回転モータ１１１に電源を供給するバッテリー１１２とを含む。従って、メイン駆動部１１０が駆動されると、メインシャフト１２０の前端部に備えられたカッター部１５０は、メインシャフト１２０を中心軸として回転できる。一方、このようなメイン駆動部１１０は、第１把持部１６０の内部に備えられ得る。
【００２９】
メインシャフト１２０は、メイン駆動部１１０の駆動力をカッター部１５０に伝達する構成要素であって、施術者が本発明の人工股関節用髀臼カップ脱去装置１００を持った状態で髀臼部分までカッター１３０が当たることができるように所定の長さを有することができる。また、図１に示されたように、メインシャフト１２０の後端部には、第１把持部１６０が備えられ、メインシャフト１２０の中間部には、第２把持部１７０が備えられる。施術者は、片手では第１把持部１６０を把持し、もう片手では第２把持部１７０を把持してメインシャフト１２０を支持することができる。一方、メインシャフト１２０の回転時、それを円滑に支持するために、メインシャフト１２０と無段調節部１４０との間には、軸受部１４３が備えられ得るが、これについては後述する。
【００３０】
カッター部１５０は、カッター１５０１と、それをティルティングさせるカッターティルティング部１５０２で構成され、髀臼部分を実質的に切削する構成要素であって、大韓民国公開特許公報第１０−２０１７−００１５０９５号に開示された本出願人の人工股関節用髀臼カップ脱去装置のカッターとその構成が類似している。即ち、図１、図２、図６に示されたように、カッター部１５０は、メインシャフト１２０の末端部に備えられ、髀臼カップが移植された髀臼部分に沿ってティルティング（ｔｉｌｔｉｎｇ）可能に備えられ得る。従って、カッター部１５０は、メインシャフト１２０の回転によってメインシャフト１２０を中心軸として回転し、髀臼部分に沿ってティルティングされながら髀臼部分を切削できる。
【００３１】
例えば、カッター１５０１は、カッターティルティング部１５０２により髀臼部分に沿ってティルティング可能である。具体的に、カッターティルティング部１５０２は、図３及び図４に示されたように、第１ティルティング部材１５１、第２ティルティング部材１５２、連結ブラケット１５３を含むことができる。
【００３２】
第１ティルティング部材１５１は、メインシャフト１２０の前端部に備えられ、メインシャフト１２０の中心軸に直交する方向にヒンジ孔１５１ａが形成される。第２ティルティング部材１５２は、ヒンジ孔１５１ａに回動可能に挿入され、後述する動力伝達部材１４４の動力伝達アーム１４８の一端部が回動可能にこれに連結される。連結ブラケット１５３は、メインシャフト１２０が回転すると同時にカッター１５０１がティルティングされる間に髀臼部分に対応する切削軌跡（略半球形状の軌跡）を形成させる構成要素であり、「┐」字状を有することができる。ここで、連結ブラケット１５３の一端部は、第２ティルティング部材１５２の一端に固定され得、連結ブラケット１５３の他端部は、カッター１５０１に固定され得る。参考までに、図３において、図面符号「１５４」は、カッター１５０１と連結ブラケット１５３を結合させるための結合手段を指し、図４において、図面符号「１０」は、髀臼カップを、図面符号「２０」は、髀臼カップ１０に第１ティルティング部材１５１を支持するための「支持カップ」をそれぞれ指す。
【００３３】
無段調節部１４０は、図１、図２、図６に示されたように、メインシャフト１２０に沿って連続的に前後方向（図６を基準に上下方向）に移動しながらカッターティルティング部１５０２のティルティング角度を無段に調節する構成要素である。このような無段調節部１４０が提供されるので、既存とは異なり段階区分がなく、髀臼部分の面を一様に切削でき、前後方向の移動を通して髀臼部分のうちさらに多くの切削を要する所にカッター１５０１を直ちに位置させることができ、カッター１５０１のティルティング角度を直前の角度に直ちに調節でき、使用が便利で施術時間が減り得る。
【００３４】
このような無段調節部１４０は、スライダー１４１、把持部固定クランプ１４２、そして軸受部１４３、動力伝達部材１４４を含むことができる。ここで、スライダー１４１と動力伝達部材１４４は、一体に形成されてもよい。
【００３５】
スライダー１４１は、メインシャフト１２０の外周面で前後方向にメインシャフト１２０に相対的に移動して、スライダー１４１の前端部と接触している動力伝達部材１４４を前方に押すことでカッター部１５０をティルティング（ｔｉｌｔｉｎｇ）させることができる。このように、カッター部１５０にティルティングを起こす力は、動力伝達部材１４４の動力伝達アーム１４４２と、動力伝達アーム１４４２の一端が連結されたカッターティルティング部１５０の第２ティルティング部材１５２と、第２ティルティング部材１５２の一端に連結された連結ブラケット１５３によって順次にカッター１５０１に伝達され得る。参考までに、図２及び図６には、スライダー１４１がメインシャフト１２０の周りに配置される位置を示すために、スライダー１４１の前端部と後端部から点線で延長してスライダー１４１を髀臼カップ脱去装置から分離した状態が示されている。
【００３６】
把持部固定クランプ１４２は、第２把持部１７０が固定される構成要素であって、その前端部には、前方カバー１４７が設けられている。一方、把持部固定クランプ１４２の後端部には、後方カバー１４６が位置するが、後方カバー１４６は、把持部固定クランプ１４２が後に押し出されないように支持し、このために、例えば、後方カバー１４６は、メインシャフト１２０に固定され得る。
【００３７】
把持部固定クランプ１４２の前端部には、スライダー１４１の後端部が連結される。ここで、スライダー１４１の後端部は、把持部固定クランプ１４２の前方カバー１４７から抜けないように結合され（例えば、スライダーの後端部の直径を前方カバーの内径より大きく形成してスライダーの後端部が前方カバーに係止するようにする方式）、メインシャフト１２０に対しては、相対的に回転可能であるように結合される。
【００３８】
軸受部１４３；１４３ａ、１４３ｂ、１４３ｃ、１４３ｄは、把持部固定クランプ１４２に相対的に回転できるメインシャフト１２０とスライダー１４１の回転を円滑にするために配置され得る。例えば、把持部固定クランプ１４２の前端部分には、軸受１４３ａが把持部固定クランプ１４２とスライダー１４１との間に、軸受１４３ｂが把持部固定クランプ１４２とメインシャフト１２０との間に配置され得る。また、把持部固定クランプ１４２の後端部分には、軸受１４３ｃが後方カバー１４６の手前に配置され得る。そして、無段調節部１４０が前方に移動するとき、軸方向に荷重が作用しながらスライダー１４１の後端を押すスラスト軸受（ｔｈｒｕｓｔ  ｂｅａｒｉｎｇ）１４３ｄが把持部固定クランプ１４２とメインシャフト１２０との間に配置され得る。このような軸受部の配置は、例示的なものに過ぎず、これに限定されず、把持部固定クランプ１４２にメインシャフト１２０とスライダー１４１の相対的回転を円滑にし、無段調節部１４０の前後方向への移動を円滑にするために多様な方式で軸受を配置できるだろう。
【００３９】
動力伝達部材１４４は、スライダー１４１が押す力（移動力）をカッターティルティング部１５０２の第２ティルティング部材１５２に伝達する。具体的に、動力伝達部材１４４は、メインシャフト１２０に相対的に摺動可能にメインシャフト１２０を囲んでスライダー１４１の前端部と接触する動力伝達部材本体部１４４１と、一端が動力伝達部材の本体部１４４１に回動可能に連結され、他端がカッターティルティング部１５０２に回動可能に連結された動力伝達アーム１４４２を備える。
【００４０】
また、動力伝達部材１４４は、図２、図５及び図６に示されたように、動力伝達部材１４４をメインシャフト１２０に弾性的に支持させる弾性支持部１４５をさらに含むことができる。従って、スライダー１４１が前方に移動しながら動力伝達部材１４４を前方に押すとき、動力伝達部材１４４が急速に移動せず、弾性支持部１４５を押しながら徐々に移動でき、カッター１５０１のティルティング角度をさらに細かく制御できる。また、施術者が無段調節部１４０を後方に移動させようとするとき、別に後方方向に無段調節部１４０に力を加えなくても、弾性支持部１４５によってスライダー１４１及び無段調節部１４０が後退でき、施術の便宜性をさらに確保することができる。
【００４１】
例えば、弾性支持部１４５は、図５に示されたように、中空部１４５ａ、案内溝１４５ｂ、弾性体１４５ｃ、そして連結部材１４５ｄを含むことができる。
【００４２】
中空部１４５ａは、弾性体１４５ｃが置かれる所であり、メインシャフト１２０にその長手方向に形成され得る。案内溝１４５ｂは、連結部材１４５ｄの移動を案内する所であり、メインシャフト１２０の側面に貫通されるように形成され、中空部１４５ａと連結されて通ることができる。弾性体１４５ｃは、中空部１４５ａに挿入され、連結部材１４５ｄは、バー（ｂａｒ）形態を有して動力伝達部材１４４と弾性体１４５ｃを案内溝１４５ｂを通して連結させることができる。ここで、弾性体１４５ｃとしては、コイルばね等が使用され得る。
【００４３】
特に、図５及び図６に示されたように、中空部１４５ａの一端は、第１ティルティング部材１５１との連結を通して閉められた（塞がった）状態で置かれ得る。そして、弾性体１４５ｃの一端は、中空部１４５ａの閉められた一端に支持され得、弾性体１４５ｃの他端は、連結部材１４５ｄに支持され得る。そして、案内溝１４５ｂは、動力伝達部材１４４の前後方向への移動範囲に合うように連結部材１４５ｄの移動を案内するようにその長さが定められ得る。
【００４４】
一方、本実施例においては、スライダー１４１が動力伝達部材１４４と別途の分離された構成要素として説明したが、スライダー１４１と動力伝達部材１４４が一体に形成されてもよい。
【００４５】
以下においては、上述したような構成を有する本発明の作用について説明する。図７には、無段調節部１４０を前方に移動させてカッター１５０１を順次に前方（反時計回り）にティルティングさせる様子が示されている。ここで、図７の（ａ）は図２に、図７の（ｃ）は図６にそれぞれ対応し得る。
【００４６】
図１及び図２に示された状態で、メイン駆動部１１０を作動させるとメインシャフト１２０が回転し、メインシャフト１２０に連結されたカッターティルティング部１５０２も回転する。そして、カッターティルティング部１５０２に連結された動力伝達アーム１４４２により動力伝達部材１４４も回転する。このとき、動力伝達部材１４４の後端部と接触しているスライダー１４１も回転できる。スライダー１４１は、軸受１４３ａにより把持部固定クランプ１４２に相対的に回転できる。
【００４７】
次に、図６に示されたように、カッター１５０１を希望するだけティルティングさせるために、第２把持部１７０を前方に押して把持部固定クランプ１４２を前方に移動させる。すると、スライダー１４１の後端部と接触している無段調節部１４０のスラスト軸受１４３ｄが把持部固定クランプ１４２に抜けないように連結されたスライダー１４１を押すようになり、その後、スライダー１４１が動力伝達部材１４４を押すようになり、その後、動力伝達アーム１４４２がカッターティルティング部１５０２をティルティングさせながらカッター１５０１も共にティルティングされる。一方、動力伝達部材１４４が前方に移動するとき、連結部材１４５ｄも連動して前方に移動しながら弾性体１４５ｃを圧縮させるようになるが、図７の（ｂ）のような状態で使用者がカッター１５０１をティルティングさせようとする場合、第２把持部１７０を前方に押す力を減らすと、弾性体１４５ｃの弾性力により自動的にカッター１５０１を所定の角度だけ後方にティルティングさせることができる。
【００４８】
このように、本発明によれば、無段調節部がメインシャフトに沿って連続的に前後方向に移動しながらカッターのティルティング角度を無段に調節できるので、既存とは異なり段階区分がなく、髀臼部分の面を一様に切削できる。
【００４９】
また、無段調節部を前後方向に移動させて髀臼部分のうちさらに多くの切削を要する所にカッターを直ちに位置させることができ、カッターのティルティング角度を直前の角度に調節でき、使用が便利で施術時間が減り得て、患者の回復時間短縮にも肯定的な効果を期待することができる。
【００５０】
以上において、本発明の好ましい実施例について詳細に説明したが、本発明の権利範囲は、これに限定されるものではなく、下記の請求の範囲で定義している本発明の基本概念を利用した当業者の種々の変形及び改良形態もまた本発明の権利範囲に属するものである。
【産業上の利用可能性】
【００５１】
本発明は、人工股関節用髀臼カップを脱去するのに使用され得る。
【図１】
0006935959.tif 000002
【図２】
0006935959.tif 000003
【図３】
0006935959.tif 000004
【図４】
0006935959.tif 000005
【図５】
0006935959.tif 000006
【図６】
0006935959.tif 000007
【図７（ａ）】
0006935959.tif 000008
【図７（ｂ）】
0006935959.tif 000009
【図７（ｃ）】
0006935959.tif 000010
【図８】
0006935959.tif 000011
【図９】
0006935959.tif 000012
【図１０】
0006935959.tif 000013